(57)【要約】      （修正有）【課題】乳児に心理的な嫌悪感を与えることなく、乳児の寝返り動作を安定的に制限する乳児固定具を提供する。【解決手段】乳児固定具１００は、乳児の背中にあてがわれるクッションであって綿素材・化学繊維その他の柔軟性素材により作られたクッション１と、帯状に形成されたベルトからなるクッションの上下方向に向けて取付けられた左右１対の肩掛ベルト２１・２２と、湾曲した細線部材から構成された一部に円弧を含む所定形状の枠であってクッションの左端および右端に取付けられた１対の外枠３１・３２と、外枠のたわみを防止するための直線形状の棒状部材からなる補強部材と、外枠の面積部分と同一形状を有するとともに外周部が外枠に固着されたシート５１・５２とを備える。１対の外枠３１・３２は、クッションの重心Ｇを通る対称軸に対して左右対称に配置されることにより、左右それぞれの肩掛ベルトに乳児の両腕を通した装着状態において乳児固定具の配置安定性を高める。【選択図】図１
0003206992.tif 000002
【実用新案登録請求の範囲】
【請求項１】
帯状に形成されたベルトを用いて乳児の寝返り動作を制限する乳児固定具において、
乳児の背中にあてがわれるクッションであって綿素材・化学繊維その他の柔軟性素材により作られたクッションと、
前記帯状に形成されたベルトからなる前記クッションの上下方向に向けて取付けられた左右１対の肩掛ベルトと、
湾曲した細線部材から構成された一部に円弧を含む所定形状の枠であって、前記クッションの左端および右端に取付けられた１対の外枠と、
前記外枠のたわみを防止するための直線形状の棒状部材からなる補強部材と、
前記外枠の面積部分と同一形状を有するとともに外周部が同外枠に固着されたシートと、
を備え、
前記１対の外枠は、
クッションの重心を通る対称軸に対して左右対称に配置されることにより、
左右それぞれの肩掛ベルトに乳児の両腕を通した装着状態において当該乳児固定具の配置安定性を高める
ように構成されたことを特徴とする、乳児固定具。
【請求項２】
請求項１に記載の乳児固定具であって、
前記１対の外枠は、
中心角が９０°以上の１個の第１円弧、ならびに、前記第１円弧と連続する第１円弧よりも半径の小さい複数個の第２円弧、を組合せることにより、
当該外枠全体として翼形状をなす
ように構成されていることを特徴とする、乳児固定具。
【請求項３】
請求項１または２に記載の乳児固定具であって、
個々の前記肩掛ベルトに取付けられた一定幅の帯状ベルトからそれぞれなる左右１対の連結ベルトと、
前記連結ベルトの各先端にそれぞれ固着された１対の固着具と、
をさらに備え、
左右１対の肩掛ベルトに乳児の両腕をそれぞれ通した装着状態で固着具同士を係合することで、
同固着具によって一体化した連結ベルトが、肩掛ベルトの取付方向と垂直に交差する水平方向に向けて左右の肩掛ベルト間に架け渡される
ことを特徴とする、乳児固定具。
【考案の詳細な説明】
【技術分野】
【０００１】
本考案は、乳児の動作を制限することにより窒息事故を防止可能な「乳児固定具」に関する。
【背景技術】
【０００２】
昨今の少子化傾向を背景に、子供に対する関心が以前にもまして高まっている。
子供の成長する様子は、すぐそばで見守っている人たちにとっては感慨深いものであり、また気持に張りや活力を与える元にもなりうる。
【０００３】
ところで子供の成長過程のうち首や腰の筋肉が充分に発達していない乳児期には、うつ伏せによる窒息事故に留意する必要がある。
乳児と同居する家族など身近な者が付きっきりで面倒を見られるようであれば理想的であるものの、実生活においては個々に用事（仕事や家事など）がある以上、昼夜を問わず四六時中ケアすることは困難であり家族による乳児への目くばりにも限度がある。
【０００４】
乳児に対するごく身近な者の代表例として母親を挙げれば、日々の生活を営む上では離乳食その他の食事の支度をこなす必要もあり、また室内の環境美化のために清掃を行う必要にもかられる。
ガス器具などを使った調理中は火元から目を離すことはできず、また浴室など居室以外の清掃時には乳児を居室に残したまま用事をせざるをえないことも多い。
しかしながら乳児への安全対策を何ら施すことなく単に布団・ベッド・床に乳児を寝かせたまま放置しているようでは、目を離して用事をしている間も不安感はぬぐえない。
【０００５】
このような寝返りに起因する乳児の窒息事故に対する安全意識のもと、乳児の寝返りを防止できるよう創意工夫を凝らした様々なタイプの乳児固定具が考案されている（例えば、特許文献１〜３参照。）。
【先行技術文献】
【特許文献】
【０００６】
【特許文献１】特開平８−０３８３１４号公報
【特許文献２】特開２００６−２８０８７５号公報
【特許文献３】実登３１２７８４１号公報
【考案の概要】
【考案が解決しようとする課題】
【０００７】
上述した特許文献１〜３の乳児固定具はいずれも、主原理として「寝かせた状態にある乳児の腰まわりを固定」する構造となっている。
【０００８】
特許文献１の技術によれば、乳児の腰部を挟んで左右に重量部分（おもり）を設置する構造になっている（同文献１・図１参照）。
このように乳児のすぐ脇におもりが設置された状態では、乳児が寝返りをしようと試みておもりの上に乳児が乗っかってしまった場合に、乳児自身の体重によりおもりに押当てられた腹部が圧迫されるケースが考えられる。
同ケースでは、乳児の顔面が覆われる事態までは至らないため窒息こそ回避されるものの、腹部の圧迫により乳児が苦しく感じる可能性は否定できない。
【０００９】
特許文献２のおむつ替え補助具では乳児に重みがかかる構造になっておらず、さらに同おむつ替え補助具で固定されている間も乳児が自由に両手を動かすことができるため快適性が保持されると考えられる。
しかし特許文献２の技術では両手の自由が利く分、乳児がおむつ替え補助具本体を下方（下半身方向）に押しのけたときは効果が維持される一方、乳児が仕切り板（同文献２・図３参照）の上端に手をかけて引っ張った場合には乳児の重みがかかることでおむつ替え補助具全体が浮上がって位置ずれする事態も想起される。
この位置ずれの程度が大きいと、乳児に対する寝返り抑制効果が損なわれてしまうおそれがある。
【００１０】
特許文献３の乳幼児用拘束用具によれば、胴体帯部材により乳幼児の胴体部分を拘束するとともに、左右一対の帯部材により乳幼児の両腕を拘束する（同文献３・図１２、第２７段落参照）。
このような構成下では乳幼児を仰臥（仰向け）の状態で拘束した場合には窒息事故の防止という点では十分機能を果たすものの、乳児がもがいて両腕を動かそうとしたときに帯部材が腕に食込んで傷やけがを負ってしまうリスクが否めないと考えられる。
また同文献３の技術によれば乳幼児を伏臥（うつ伏せ）の状態で拘束した場合、両腕を拘束して自由を奪ってしまうことで乳幼児の顔面部がボードに押付けられたままになってしまう可能性も否めない。
【００１１】
上述した特許文献１〜３はいずれも「乳児を固定する」ことを目的として、個々に利便性の向上が図られている。
しかしながらこれらの各技術は「拘束時における乳児の快適性」と「乳児に対する十分な寝返り抑制効果の持続性」の両立という観点から見ると、まだまだ改善の余地があるものと考えられる。
【００１２】
本考案は上記の問題に鑑みてなされたものであり、装用時間が長時間に及んだ場合でも乳児に心理的な嫌悪感を与えることなく、かつ乳児の寝返り動作を安定的に制限することを目的とする。
【課題を解決するための手段】
【００１３】
〔第１考案〕
そこで上記の課題を解決するために、本願の第１考案に係る乳児固定具は、
帯状に形成されたベルトを用いて乳児の寝返り動作を制限する乳児固定具において、
乳児の背中にあてがわれるクッションであって綿素材・化学繊維その他の柔軟性素材により作られたクッションと、
前記帯状に形成されたベルトからなる前記クッションの上下方向に向けて取付けられた左右１対の肩掛ベルトと、
湾曲した細線部材から構成された一部に円弧を含む所定形状の枠であって、前記クッションの左端および右端に取付けられた１対の外枠と、
前記外枠のたわみを防止するための直線形状の棒状部材からなる補強部材と、
前記外枠の面積部分と同一形状を有するとともに外周部が同外枠に固着されたシートと、
を備え、
前記１対の外枠は、
クッションの重心を通る対称軸に対して左右対称に配置されることにより、
左右それぞれの肩掛ベルトに乳児の両腕を通した装着状態において当該乳児固定具の配置安定性を高める構成とした。
【００１４】
第１考案に係る乳児固定具によれば、乳児固定具の主要部材であるクッションの重心位置に乳児自らの体重が加わることになるため「位置ずれ防止効果を安定的に長時間にわたり維持」することができる。
さらに第１考案によれば、乳児固定具の装着時において乳児の両手が解放された状態になるため両腕を自由に曲げ伸ばしすることができ、装用時間が長時間に及んだ場合でも乳児に「心理的な嫌悪感を与えることを回避」できる。
すなわち第１考案によれば、「拘束時における乳児の快適性」と「乳児に対する十分な寝返り抑制効果の持続性」の両立を図ることができる。」
【００１５】
〔第２考案〕
本願の第２考案に係る乳児固定具は、第１考案に係る乳児固定具であって、
前記１対の外枠は、
中心角が９０°以上の１個の第１円弧、ならびに、前記第１円弧と連続する第１円弧よりも半径の小さい複数個の第２円弧、を組合せることにより、
当該外枠全体として翼形状をなすように構成してもよい。
【００１６】
第２考案に係る乳児固定具によれば、外枠３１・３２の全体形状として翼を模した形を採用している（図２・図１１（ａ）・図１１（ｂ）参照）。
このようにすることで装着時にあたかも天使の羽のように見せることができ（図６参照）、乳児の世話をする者・乳児の様子を観る者などの周囲に対してより親しみやすい雰囲気を醸し出すことを期待できる。
【００１７】
〔第３考案〕
本願の第３考案に係る乳児固定具は、第１または第２考案に係る乳児固定具であって、
個々の前記肩掛ベルトに取付けられた一定幅の帯状ベルトからそれぞれなる左右１対の連結ベルトと、
前記連結ベルトの各先端にそれぞれ固着された１対の固着具と、
をさらに備え、
左右１対の肩掛ベルトに乳児の両腕をそれぞれ通した装着状態で固着具同士を係合することで、
同固着具によって一体化した連結ベルトが、肩掛ベルトの取付方向と垂直に交差する水平方向に向けて左右の肩掛ベルト間に架け渡されるように構成してもよい。
【００１８】
第３考案に係る乳児固定具によれば、乳児が体を左右によじってもクッション１の左右側面に取付けられた肩掛ベルト２１・２２の距離が広がらないため（図８参照）、肩掛ベルトが外れることを未然防止できる。
【図面の簡単な説明】
【００１９】
【図１】実施形態に係る乳児固定具の正面図である。
【図２】外枠の拡大図である。
【図３】乳児固定具の背面図である。
【図４】乳児固定具の右側面図である。
【図５】乳児固定具を示す図であって、（ａ）は平面図、（ｂ）は底面図である。
【図６】実施形態に係る乳児固定具を乳児に装着した使用状態を示す模式図である。
【図７】連結ベルトが設けられた乳児固定具の一変形例を示す模式図である。
【図８】連結ベルトが設けられた乳児固定具を乳児に装着した使用状態を示す模式図である。
【図９】ヒンジ機構が設けられた乳児固定具において開いた状態を示す模式図である。
【図１０】ヒンジ機構が設けられた乳児固定具において閉じた状態を示す模式図であって、（ａ）は正面図、（ｂ）は背面図である。
【図１１】外枠形状の変形例を示す模式図であって、（ａ）は正弦波状の第２円弧を構成した例、（ｂ）はすべて上向きの第２円弧を構成した例である。
【考案を実施するための形態】
【００２０】
以下、図１乃至図１１を参照して、本考案の乳児固定具について説明する。
［実施形態］
本考案の実施形態は、帯状の肩掛ベルトによる乳児への装着を想定して（図５参照）、乳児の寝返り動作を制限するための乳児固定具を構成した例である。
以下、この内容について詳しく説明する。
【００２１】
図１は、本実施形態に係る乳児固定具１００の外観を示す正面図である。
同図１のごとく乳児固定具１００は、クッション１を中心的な要素として構成される。
また乳児固定具１００は、肩掛ベルト２１・２２と、外枠３１・３２と、補強部材４１（４１−１・４１−２）・４２（４２−１・４２−２）と、シート５１・５２と、を備えている。
【００２２】
クッション１は、乳児の背中にあてがわれるクッションである。
上記クッション１は、綿素材に代表される天然素材・化学繊維（たとえば低反発性のウレタン素材）その他の柔軟性素材により作られている。
なお図３のように、クッション１の背面側には何ら構成要素は設けられていない。
【００２３】
図１の肩掛ベルト２１・２２は、それぞれ帯状に形成された「左右１対」のベルトからなる。
本説明例においては肩掛ベルト２１・２２は全長にわたって幅が一定の帯状ベルトにより構成されているが、同ベルト２１・２２は必ずしも一定幅のものを使用しなくてもよい。
【００２４】
上記肩掛ベルト２１・２２は、クッション１の「上下方向」に向けて取付けられている。
肩掛ベルト２１・２２のクッション１に対する取付手法としては「縫合、接着剤による接着、面ファスナ（マジックテープ（登録商標）等）による着脱可能な固着」など任意の手法を採用できる。
なお上述の「上下方向」とは、乳児固定具１００を装着する乳児の頭部側を上側（図５）、乳児固定具１００を装着する乳児の足側を下側として定義される。
【００２５】
外枠３１・３２は、湾曲した細線部材から構成された一部に円弧を含む所定形状の枠である。円弧形状（弓型）とすることにより「外力に対する反発力」が得られるためである。
外枠３１・３２の構成材料としては、外枠３１・３２に対して外部から加えられた「外力が解放されたときに元の形状が復元する」ことが要求される。
このような性質を持つ構成材料の例としては、一般的なプラスチック素材ないしは金属細線（いわゆる針金）などが挙げられる。
【００２６】
また本例では本乳児固定具１００固有の技術的な特徴として、外枠３１・３２の形状が「翼を模した形」に形成されている。
本例において外枠３１・３２は各々、中心角が９０°以上の１個の第１円弧Ａ１（図２における外枠３１の上半分）、ならびに、第１円弧Ａ１と連続する第１円弧Ａ１よりも半径の小さい複数個の第２円弧Ａ２（図２における外枠３１の下半分）、を組合せることにより翼形状をなしている。
【００２７】
これらの外枠３１・３２は図１のごとく１対（２つ一組）から成り、クッション１の左端および右端に左右対称に取付けられている。
外枠３１・３２は、クッション１の重心Ｇを通る対称軸に対して左右対称に配置されることにより（同図１）、左右それぞれの肩掛ベルト２１・２２に乳児の両腕を通した装着状態において「乳児固定具１００の配置安定性を高める」機能を果たす。
【００２８】
なお図４の右側面図のごとく外枠３１は、クッション１の右側面に沿うように且つクッション１の厚さからはみ出さない範囲内に取付けられている。
本乳児固定具１００を左側方から見たときも、クッション１の左脇に取付けられた外枠３２について上図４と対称的な取付形態となっている。
【００２９】
また側面図（図４）同様に、乳児固定具１００を上方から見たときの平面図（図５（ａ）参照）ならびに乳児固定具１００を下方から見たときの底面図（図５（ｂ）参照）についても、クッション１の厚さの範囲内に外枠３１・３２が収まった状態（直列的な配置）となっている。
【００３０】
図１の補強部材４１・４２は、外枠３１・３２に外力が加わった際にこれら外枠３１・３２のたわみ・破損を防止するための部材であり、直線形状の棒状部材からなる。
補強部材４１・４２についても構成材料として一般的なプラスチック素材を採用可能である。
【００３１】
なお図１の例では左右それぞれの外枠３１・３２を補強するように、片側に２本ずつの補強部材４１−１・４１−２ないしは補強部材４２−１・４２−２が十字型に交差するように配置される。
同図１においては軸方向が上下方向を向いた補強部材４１−１・４２−１が上下方向の外力から外枠３１・３２をそれぞれ保護する役割を担い、軸方向が水平方向を向いた補強部材４１−２・４２−２が水平方向の外力から外枠３１・３２を保護する役割を担う。
【００３２】
シート５１・５２は、それぞれ外枠３１・３２で囲まれた面積部分と同一形状を有している。
また同シート５１・５２は、その外周部が上述の外枠３１・３２に固着されている。
このシート５１・５２は、綿素材、和紙などの紙素材、化学繊維（例えばポリエステル系合成繊維）をはじめとする任意の材料から作られている。
【００３３】
なおシート５１・５２の外枠３１・３２に対する固着方法は任意であり、取外し不可能に接着してもよく、また面ファスナ・ホックをはじめとする着脱可能な機構により係着してもよい。
シート５１・５２を着脱可能とすることにより、シート５１・５２が汚損したときに取外して洗浄したり、汚れていない状態のシートへの交換が可能になるといったメリットが生じる。
【００３４】
以下、上記構成を有する本実施形態に係る乳児固定具１００の使用方法について説明する。
本乳児固定具１００を使用する場合、まず同固定具１００を平らな床面に設置することで安定性を確保する。
【００３５】
続いてクッション１を挟んで左右に設けられた肩掛ベルト２１・２２に、乳児の腕をそれぞれ片側ずつ通す。
このようにすることで極めて簡易な手順により、乳児に対する乳児固定具１００の装着が直ちに完了する。
なお乳児の寝返り防止効果を高めるべく乳児の体軸がなるべくクッション１の重心Ｇに近づくように、乳児の胴体部分を水平方向においてクッション１の中央部に寄せることが望ましい。
【００３６】
肩掛ベルト２１・２２に両腕を通した状態では乳児が寝返りを打とうとして体を傾けようとしても、乳児自身の体重がクッション１に対する重しとして働き、さらにはクッション１に取付けられている肩掛ベルトが乳児の肩が浮上がることを妨げるため、結果として乳児は寝返りするための必要動作である右半身もしくは左半身を起こすことができない。
【００３７】
なお乳児が体を傾けようとした場合、乳児固定具１００中央部に位置するクッション１を介して乳児自身の体重に起因する外力が外枠３１ないしは３２にかかることになる。
この場合、外枠３１・３２の内側に取付けられている補強部材４１（図１の例では４１−１・４１−２）・４２（図１の例では４２−１・４２−２）が突っ張ることにより、乳児の体重による外力を相殺する向きに反力が働くことになる。
それゆえに乳児の体重による外力が加わった場合でも、外枠３１・３２のたわみや位置ずれの発生を抑制することが可能となる。
【００３８】
以上説明したように、本実施形態に係る乳児固定具１００によれば、乳児固定具の主要部材であるクッションの重心位置に乳児自らの体重が加わることになる。
さらに乳児が体を傾けた場合でもクッション１の左右両側に大きく広がった外枠３１・３２ならびに補強部材４１・４２により「乳児固定具１００全体を傾けようとするモーメントが減殺」される。
そのため「位置ずれ防止効果を安定的に長時間にわたって維持」することができる。
【００３９】
また本実施形態によれば、乳児固定具の装着時において乳児の両手・両腕が解放された状態になる。
そのため両腕の曲げ伸ばし動作や手を握ったり開いたりする動作を自由に行うことができ、装用時間が長時間に及んだ場合でも乳児に「心理的な嫌悪感を与えることを回避」できる。
したがって「拘束時における乳児の快適性」と「乳児に対する十分な寝返り抑制効果の持続性」の両立を図ることができる。
【００４０】
さらに本実施形態においては、乳児固定具１００の左右に配置される外枠３１・３２の形状として翼を模した形を採用している。
このようにすることで装着時にあたかも天使の羽のように見せることができ（図６参照）、乳児の世話をする者・乳児の様子を観る者にとってより親しみやすい雰囲気を醸し出すことを期待できる。
【００４１】
なお乳児固定具１００の中心的な要素をなすクッション１としては市場で容易に入手可能な汎用のクッション製品でも代用でき、当該の汎用製品に肩掛ベルト２１・２２や外枠３１・３２などの構成要素を付加することで直ちに本願の乳児固定具１００を構成できる。
この場合、きわめて廉価なコストで乳児固定具１００を製造できる。
そのため自然、販売価格についても大幅に引下げることが可能となり、ひいては本乳児固定具１００を購入する需要者の底辺拡充が見込まれる。
【００４２】
〔変形例：連結ベルト〕
図１の構成によれば乳児が激しく腕をばたつかせた拍子に、乳児の腕が肩掛ベルト２１・２２から抜け出てしまう可能性も否定できない。
このような事態を未然回避するために本実施形態の乳児固定具１００Ａは図７のように、一定幅の帯状ベルトからなる左右１対の連結ベルト６１・６２を個々の肩掛ベルト２１・２２に取付けるとともに、同連結ベルト６１・６２の各先端に１対の固着具７１・７２をそれぞれ固着した構成としてもよい。
【００４３】
上記乳児固定具１００Ａでは図８のように、左右１対の肩掛ベルト２１・２２に乳児の両腕をそれぞれ通した装着状態で、固着具７１・７２（例えば、面ファスナ・ホックなど）同士を係合する。
この場合、乳児の胸元付近で固着具７１・７２によって一体化（一体的に接続）した連結ベルト６１・６２が、肩掛ベルト２１・２２の取付方向（すなわち上下方向）と垂直に交差する水平方向に向けて左右の肩掛ベルト２１・２２間に架け渡される（同図８）。
そのため乳児が体を左右によじっても、肩掛ベルト２１・２２が外れる（すなわち乳児の腕が肩掛ベルト２１・２２から抜け出てしまう）ことを未然防止できる。
【００４４】
〔変形例：外枠の折畳機構〕
本実施形態の乳児固定具は、外枠３１・３２を折畳可能とすることで「収納性を向上」することが可能である。
このような機能を実現するためには図９のように、開閉可能なヒンジ機構８１・８２を介してクッション１と外枠３１・３２を連結すればよい。
このような乳児固定具１００Ｂを乳児に装着する場合にはヒンジ機構８１・８２を開いた状態（図９）にする一方、乳児固定具１００Ｂを片付ける際にはヒンジ機構８１・８２を軸まわりに回動させて外枠３１・３２を閉じて畳んだ状態（図１０（ａ）・図１０（ｂ）参照）にする。
【００４５】
なお乳児固定具１００Ｂの前面には肩掛ベルト２１・２２が取付けられているため、外枠３１・３２を乳児固定具１００Ｂの前側に折畳むようにするとかさばってしまい収容効率を向上できない（すなわち乳児固定具１００Ｂの収容時において、体積圧縮が効率的に図られない）。
そのため外枠３１・３２の折畳方向は乳児固定具１００Ｂの背面側に折畳む構造とすることが望ましい（図１０（ｂ）参照）。
しかしながら乳児固定具１００Ｂの肩掛ベルト２１・２２が面ファスナ（図示略）などによりクッション１に対して着脱可能に取付けられているケースでは、例外的に外枠３１・３２の折畳方向を乳児固定具１００Ｂの前面側とすることもできる。
【００４６】
さらに外枠３１・３２を開閉可能な構造とする場合、乳児が体を傾けたときの外力に起因するモーメントによりヒンジ機構８１・８２が回動しないよう（つまり開いている外枠３１・３２が閉じないよう）、ヒンジ機構８１・８２の開き具合を固定するためのロック（図示略）を設けることがより好ましい。
【００４７】
なお外枠３１・３２についても面ファスナ・ホックなどの固着具（図示略）を使用してクッション１に対して着脱可能な構成とすることにより、乳児の装着後にクッション１・外枠３１・外枠３２を個々の部品に分解して収納性を高めることもできる。
【００４８】
〔変形例：外枠の形態〕
外枠３１・３２に模する翼形状は図２に例示した形状に限定されることなく、中心角が９０°以上の１個の第１円弧Ａ１と、第１円弧Ａ１と連続する複数個の第２円弧Ａ２（第１円弧Ａ１よりも半径の小さいもの）を組合せてなる任意の形状を選択可能である。
例えば図１１（ａ）のように、１個の第１円弧Ａ３に対して正弦波状に連なる複数個の第２円弧Ａ４をつなげた形態の翼形状としてもよい。
また図１１（ｂ）のように第１円弧Ａ５に対し、すべて上向きに突き出た複数個の第２円弧Ａ６をつなげた形態の翼形状としてもよい。
【００４９】
さらに上記「翼形状」以外にも外枠３１・３２にあしらわれるデザインは、任意のデザイン（形状・模様・色彩・質感）を選択してよい。
デザインの多様性を幅広く確保することにより本乳児固定具１００の購入を検討する需要者の選択肢も広がり、様々な購入者のニーズに応えることが可能となる。
さらに本願の乳児固定具１００が新生児の誕生祝としてプレゼントされるようなケースでは、贈り先（プレゼントの受取側）の好みに合わせた形状や図柄をオーダーメイドにより注文に応じて選択するといったサービス形態も考えられる。
【００５０】
以上、実施形態を参照して本考案を説明したが、本考案は上記実施形態に限定されるものではない。本考案の構成や詳細には、本考案の要旨を逸脱しない範囲で当業者が理解し得る各種の変形が可能である。
【符号の説明】
【００５１】
１  クッション
２１、２２  肩掛ベルト
３１、３２  外枠
４１、４２  補強部材
５１、５２  シート
６１、６２  連結ベルト
７１、７２  固着具
８１、８２  ヒンジ機構
１００  乳児固定具
【図１】
0003206992.tif 000003
【図２】
0003206992.tif 000004
【図３】
0003206992.tif 000005
【図４】
0003206992.tif 000006
【図５】
0003206992.tif 000007
【図６】
0003206992.tif 000008
【図７】
0003206992.tif 000009
【図８】
0003206992.tif 000010
【図９】
0003206992.tif 000011
【図１０】
0003206992.tif 000012
【図１１】
0003206992.tif 000013